(57)【要約】【課題】  デッキシャーシにグリスを塗布する際に、必要な部分にだけグリスを塗布でき、グリスを塗布する部分を傷付けずに均等にグリスを塗布でき、且つ簡単な構造である。【解決手段】  デッキシャーシ１のグリス塗布箇所にグリスを塗布するグリス塗布用治具２は、平板状の本体部３と本体部３の上面の複数の基台部４と基台部４の上面のスポンジ体５とからなる。デッキシャーシ１の複数のグリス塗布箇所に対応する箇所のグリス塗布用治具２の平板状本体部３の上面に複数の基台部４を配置し、基台部４の上面に複数のスポンジ体５を貼着し、スポンジ体５にローラ６でグリスを塗布しこのスポンジ体５をデッキシャーシ１の各摺動部に接触させスポンジ体５に塗布したグリスをデッキシャーシ１の各摺動部に塗布し、グリス塗布用治具２の平板状の本体部３の複数箇所にデッキシャーシ１に穿設した孔部１ａ、１ｂ、１ｃに挿入する位置決め用のボス部７が突設されている。【選択図】  図１
2005313052.tif 000002
【特許請求の範囲】
【請求項１】
デッキシャーシのグリス塗布箇所にグリス塗布用治具によって、グリスを塗布するようにしたデッキシャーシのグリス塗布構造であって、前記グリス塗布用治具は、平板状の本体部と、この本体部の上面に取り付けられた複数の基台部と、これらの基台部の上面に取り付けられたスポンジ体とからなり、前記複数のスポンジ体にグリス塗布用ローラでグリスが塗布されるように構成され、グリスが塗布される箇所は、前記デッキシャーシにおける略ハ字形のテープローディングの摺動部と、テープローディング用のアームの摺動部と、テープのリールの回転を止めるためのブレーキの摺動部と、テープの巻き取り側のブレーキの摺動部であり、前記グリス塗布用治具の本体部の上面に、前記各摺動部に対応する箇所に前記各基台部が配置され、これらの基台部の上面に前記各摺動部にグリスを塗布するための複数のスポンジ体が貼着されており、前記複数のスポンジ体の高さはほぼ同高さ位置となるようにされ、これらのスポンジ体にローラでグリスが塗布され、このグリスが塗布されたスポンジ体を前記デッキシャーシの各摺動部に接触させることにより前記スポンジ体に塗布されたグリスを前記デッキシャーシの各摺動部に塗布するように構成され、前記グリス塗布用治具における平板状の本体部の少なくとも３箇所に、前記デッキシャーシに穿設された孔部に挿入される位置決めのためのボス部が突設されていることを特徴とするデッキシャーシのグリス塗布構造。
【請求項２】
デッキシャーシのグリス塗布箇所にグリス塗布用治具によって、グリスを塗布するようにしたデッキシャーシのグリス塗布構造であって、前記グリス塗布用治具は、平板状の本体部と、この本体部の上面に取り付けられた複数の基台部と、これらの基台部の上面に取り付けられたスポンジ体とからなり、前記デッキシャーシの複数のグリス塗布箇所に対応する箇所の前記グリス塗布用治具における平板状の本体部上面に複数の
基台部が配置され、これらの基台部の上面にグリスを塗布するための複数のスポンジ体が貼着されており、これらのスポンジ体にローラでグリスが塗布され、このグリスが塗布されたスポンジ体を前記デッキシャーシの各摺動部に接触させることにより前記スポンジ体に塗布されたグリスを前記デッキシャーシの各摺動部に塗布するように構成され、前記グリス塗布用治具における平板状の本体部の複数箇所に、前記デッキシャーシに穿設された孔部に挿入される位置決めのためのボス部が突設されていることを特徴とするデッキシャーシのグリス塗布構造。
【請求項３】
前記複数の基台部の上面には、前記各スポンジ体を位置決めして貼着するためにスポンジ体を取り巻くように複数の突起が突設されている請求項２に記載のデッキシャーシのグリス塗布構造。
【請求項４】
前記複数の基台部の上面には、前記各スポンジ体の下端部を嵌め入れて位置決めするための凹部が複数箇所設けられている請求項２に記載のデッキシャーシのグリス塗布構造。
【請求項５】
前記複数のスポンジ体の下面に長溝部が形成され、前記各基台部の上面における前記複数のスポンジ体を貼着する箇所に、前記スポンジ体の下面の長溝部に嵌め入れられてスポンジ体を位置決めするための長突起が突設されている請求項２に記載のデッキシャーシのグリス塗布構造。
【発明の詳細な説明】
【技術分野】
【０００１】
本発明は、デッキシャーシのグリス塗布箇所にグリス塗布用治具によって、グリスを塗布するようにしたデッキシャーシのグリス塗布構造に関するものである。
【背景技術】
【０００２】
従来、デッキシャーシのグリス塗布箇所にグリスを塗布するには、筆にグリスを付けてこの筆によってグリス塗布箇所にグリスを塗布するようにしていた。ところが、この作業が厄介で難しくて手間がかかり、塗布むらが生じやすいとともに不必要な部分にまでグリスを塗布してしまう場合があるという問題があった。
【０００３】
第１の従来技術を図６に示す。この従来のグリス塗布用治具は、図６に示すように、台座１０２に昇降自在に支持されるグリス供給台１０３と、前記供給台１０３に昇降自在に支持されるホルダー台１０４を設ける。前記供給台１０３は、挿通されたロッド１０５によって台座１０２に支持された筒体Ｔの開口にグリスを塗布する塗布部材１０１が取り付けられ、その塗布部材１０１が取り付けられた供給台１０３の上面にグリスを含浸させたスポンジＳ１０１が配置される。
【０００４】
ホルダー台１０４は、塗布部材１０１が挿通する挿通孔１１５と底面に前記供給台１０３のスポンジＳ１０１を押す押し圧部１１６が形成されている。筒体Ｔの開口をホルダー台１０４の挿通孔１１５に合わせて下降させると、押し圧部１１６によってスポンジＳ１０１が押されてグリスが塗布部材１０１に供給される。さらに、下降させると、前記供給台１０３が下降して相対的に上昇した塗布部材１０１が前記開口ｍに進入してグリスを塗布するようにしている。（例えば、特許文献１参照）。
【０００５】
ところが、これはスポンジＳ１０１から直接グリスを塗布するものではなくて、構造が極めて複雑であるという問題があった。
【特許文献１】特開２００３−２９０６９８号公報
【発明の開示】
【発明が解決しようとする課題】
【０００６】
本発明は、上記従来の問題に鑑みてなされたものであって、デッキシャーシにグリスを塗布する際に、必要な部分にだけグリスを塗布することができ、しかも、グリスを塗布する部分を傷つけることがなく均等にグリスを塗布することができ、且つ簡単な構造のデッキシャーシのグリス塗布構造を提供することを目的としている。
【課題を解決するための手段】
【０００７】
本発明は、上記課題を解決するために提案されたものであって、請求項１に記載の発明は、デッキシャーシのグリス塗布箇所にグリス塗布用治具によって、グリスを塗布するようにしたデッキシャーシのグリス塗布構造であって、前記グリス塗布用治具は、平板状の本体部と、この本体部の上面に取り付けられた複数の基台部と、これらの基台部の上面に取り付けられたスポンジ体とからなり、前記複数のスポンジ体にグリス塗布用ローラでグリスが塗布されるように構成され、グリスが塗布される箇所は、前記デッキシャーシにおける略ハ字形のテープローディングの摺動部と、テープローディング用のアームの摺動部と、テープのリールの回転を止めるためのブレーキの摺動部と、テープの巻き取り側のブレーキの摺動部であり、前記グリス塗布用治具の本体部の上面に、前記各摺動部に対応する箇所に前記各基台部が配置され、これらの基台部の上面に前記各摺動部にグリスを塗布するための複数のスポンジ体が貼着されており、前記複数のスポンジ体の高さはほぼ同高さ位置となるようにされ、これらのスポンジ体にローラでグリスが塗布され、このグリスが塗布されたスポンジ体を前記デッキシャーシの各摺動部に接触させることにより前記スポンジ体に塗布されたグリスを前記デッキシャーシの各摺動部に塗布するように構成され、前記グリス塗布用治具における平板状の本体部の少なくとも３箇所に、前記デッキシャーシに穿設された孔部に挿入される位置決めのためのボス部が突設されていることを特徴としている。
【０００８】
請求項２に記載の発明は、デッキシャーシのグリス塗布箇所にグリス塗布用治具によって、グリスを塗布するようにしたデッキシャーシのグリス塗布構造であって、前記グリス塗布用治具は、平板状の本体部と、この本体部の上面に取り付けられた複数の基台部と、これらの基台部の上面に取り付けられたスポンジ体とからなり、前記デッキシャーシの複数のグリス塗布箇所に対応する箇所の前記グリス塗布用治具における平板状の本体部上面に複数の基台部が配置され、これらの基台部の上面にグリスを塗布するための複数のスポンジ体が貼着されており、これらのスポンジ体にローラでグリスが塗布され、このグリスが塗布されたスポンジ体を前記デッキシャーシの各摺動部に接触させることにより前記スポンジ体に塗布されたグリスを前記デッキシャーシの各摺動部に塗布するように構成され、前記グリス塗布用治具における平板状の本体部の複数箇所に、前記デッキシャーシに穿設された孔部に挿入される位置決めのためのボス部が突設されていることを特徴としている。
【０００９】
請求項３に記載の発明は、前記複数の基台部の上面には、前記各スポンジ体を位置決めして貼着するためにスポンジ体を取り巻くように複数の突起が突設されている。
【００１０】
請求項４に記載の発明は、前記複数の基台部の上面には、前記各スポンジ体の下端部を嵌め入れて位置決めするための凹部が複数箇所設けられている。
【００１１】
請求項５に記載の発明は、前記複数のスポンジ体の下面に長溝部が形成され、前記各基台部の上面における前記複数のスポンジ体を貼着する箇所に、前記スポンジ体の下面の長溝部に嵌め入れられてスポンジ体を位置決めするための長突起が突設されている。
【発明の効果】
【００１２】
請求項１に記載の発明によれば、グリス塗布用治具における平板状の本体部上面の基台部に貼着されたスポンジ体にローラで塗布されたグリスを、スポンジ体をデッキシャーシに接触させることによって、このデッキシャーシにおける略ハ字形のテープローディングの摺動部と、テープローディング用のアームの摺動部と、テープのリールの回転を止めるためのブレーキの摺動部と、テープの巻き取り側のブレーキの摺動部に塗布することができる。
【００１３】
このように、デッキシャーシにグリスを塗布する際に、必要な部分即ち各摺動部にだけグリスを塗布することができ、しかも、グリスを塗布する部分を傷つけることがなく均等にグリスを塗布することができる。また、グリス塗布構造の構造を簡単化することができる。
【００１４】
請求項２に記載の発明によれば、グリス塗布用治具における平板状の本体部上面の基台部に貼着されたスポンジ体にローラで塗布されたグリスを、スポンジ体をデッキシャーシに接触させることによって、デッキシャーシの必要な部分即ちデッキシャーシの各摺動部にだけグリスを塗布することができ、しかも、グリスを塗布する部分を傷つけることがなく均等にグリスを塗布することができ、且つ簡単な構造のデッキシャーシのグリス塗布構造を提供することを目的としている。
【００１５】
請求項３に記載の発明によれば、平板状の本体部上面に設けられた複数の基台部の上面に突設された複数の突起の間に複数のスポンジ体をそれぞれ嵌め入れることによって、各スポンジ体の位置決めを容易に行なうことができる。
【００１６】
請求項４に記載の発明によれば、平板状の本体部上面に設けられた複数の基台部の上面に設けられた複数箇所の凹部に、各スポンジ体の下部を嵌め入れることによって、各スポンジ体の位置決めを容易に行なうことができ、且つスポンジ体を外れないように貼着することができる。
【００１７】
請求項５に記載の発明によれば、平板状の本体部の上面に設けられた複数の基台部の上面に突設された複数の長突起に各スポンジ体の長溝部を嵌め込むことによって、各スポンジ体の位置決めを容易に行なうことができる。また、各スポンジ体を貼着した後にこれら各スポンジ体が位置擦れするのを防ぐことができる。
【発明を実施するための最良の形態】
【００１８】
以下、本発明に係るデッキシャーシのグリス塗布構造の実施形態について、図を参照しつつ説明する。
【００１９】
図１は本発明のデッキシャーシのグリス塗布構造の第１実施形態を示す分解斜視図、図２は同構造のグリスを塗布している状態の斜視図である。
【００２０】
この第１実施形態のデッキシャーシのグリス塗布構造は、図１に示すように、デッキシャーシ１のグリス塗布箇所にグリス塗布用治具２によって、グリスを塗布するようにしたものである。このグリス塗布用治具２は、平板状の本体部３と、この本体部３の上面に取り付けられた複数の基台部４と、これらの基台部４の上面に取り付けられたスポンジ体５とから構成されている。更に、複数のスポンジ体５にグリス塗布ローラ６でグリスが塗布されるようになっている。グリスが塗布される箇所は、デッキシャーシ１における略ハ字形のテープローディングの摺動部と、テープローディング用のアームの摺動部と、テープのリールの回転を止めるためのブレーキの摺動部と、テープの巻き取り側のブレーキの摺動部である。
【００２１】
グリス塗布用治具２の本体部３の上面に、各摺動部に対応する箇所に各基台部４が配置され、これらの基台部４の上面に各摺動部にグリスを塗布するための複数のスポンジ体５が貼着されている。更に、複数のスポンジ体５の高さはほぼ同高さ位置となるようにされている。これらのスポンジ体５にローラ６でグリスが塗布され、このグリスが塗布されたスポンジ体５を図２に示すように、デッキシャーシ１の各摺動部に接触させることによりスポンジ体５に塗布されたグリスがデッキシャーシ１の各摺動部に塗布される。また、グリス塗布用治具２における平板状の本体部３の３箇所に、デッキシャーシ１に穿設された孔部１ａ、１ｂ、１ｃに挿入される位置決めのためのボス部７が突設されている。これらのボス部７には、上端に上側が尖った突出部７ａが設けられている。
【００２２】
従って、この第１実施形態によれば、グリス塗布用治具２における平板状の本体部上面の基台部４に貼着されたスポンジ体５にローラ６で塗布されたグリスを、スポンジ体５をデッキシャーシ１に接触させることによって、このデッキシャーシ１における略ハ字形のテープローディングの摺動部と、テープローディング用のアームの摺動部と、テープのリールの回転を止めるためのブレーキの摺動部と、テープの巻き取り側のブレーキの摺動部に塗布することができる。また、各ボス部７の上端部に上側が尖った突出部７ａが設けられているので、この突出部７ａをデッキシャーシ１の孔部１ａ、１ｂ、１ｃに挿入し易い利点がある。
【００２３】
このように、デッキシャーシ１にグリスを塗布する際に、デッキシャーシ１におけるグリスの必要な部分即ち各摺動部にだけグリスを塗布することができ、しかも、グリスを塗布する部分を傷つけることがなく均等にグリスを塗布することができる。また、グリス塗布構造の構造を簡単化することができる。
【００２４】
図３は第２実施形態のデッキシャーシのグリス塗布構造を示す分解斜視図である。尚、上記した第１実施形態と同一部材、同一箇所には同一符号を付して、その説明を省略する。
【００２５】
この第２実施形態のデッキシャーシのグリス塗布構造は、図３に示すように、複数の基台部４の上面に、各スポンジ体５を位置決めして貼着するためにスポンジ体５を取り巻くように複数の突起８が突設されている。従って、この第２実施形態によれば、平板状の本体部３の上面に設けられた複数の基台部４の上面に突設された複数の突起８の間に複数のスポンジ体５をそれぞれ嵌め入れることによって、各スポンジ体５の位置決めを容易に行なうことができる。
【００２６】
図４は第３実施形態のデッキシャーシのグリス塗布構造を示す分解斜視図である。尚、上記した第１実施形態と同一部材、同一箇所には同一符号を付して、その説明を省略する。
【００２７】
この第３実施形態のデッキシャーシのグリス塗布構造は、図４に示すように、複数の基台部４の上面に、各スポンジ体５の下端部を嵌め入れて位置決めするための凹部４ａが複数箇所設けられている。従って、この第３実施形態によれば、平板状の本体部３の上面に設けられた複数の基台部４の上面に設けられた複数箇所の凹部４ａに、各スポンジ体５の下部を嵌め入れることによって、各スポンジ体５の位置決めを容易に行なうことができ、且つスポンジ体５を外れないように貼着することができる。
【００２８】
図５は第４実施形態のデッキシャーシのグリス塗布構造を示す部分斜視図である
この第４実施形態のデッキシャーシのグリス塗布構造は、図５に示すように、複数のスポンジ体５の下面に長溝部５ａが形成され、各基台部４の上面における複数のスポンジ体５を貼着する箇所に、スポンジ体５の下面の長溝部５ａに嵌め込まれてスポンジ体５を位置決めするための長突起４ｂが突設されている。
【００２９】
従って、この第４実施形態によれば、平板状の本体部３の上面に設けられた複数の基台部４の上面に突設された複数の長突起４ｂに各スポンジ体５の長溝部５ａを嵌め込むことによって、各スポンジ体５の位置決めを容易に行なうことができる。また、各スポンジ体５を貼着した後にこれら各スポンジ体５が位置擦れするのを防ぐことができる。
【図面の簡単な説明】
【００３０】
【図１】本発明のデッキシャーシのグリス塗布構造の第１実施形態を示す分解斜視図である。
【図２】同構造のグリスを塗布している状態の斜視図である。
【図３】第２実施形態のデッキシャーシのグリス塗布構造を示す分解斜視図である。
【図４】第３実施形態のデッキシャーシのグリス塗布構造を示す分解斜視図である。
【図５】第４実施形態のデッキシャーシのグリス塗布構造を示す部分斜視図である
【図６】従来のグリス塗布用治具の縦断正面図である。
【符号の説明】
【００３１】
１      デッキシャーシ
１ａ    孔部
１ｂ    孔部
１ｃ    孔部
２      グリス塗布用治具
３      本体部
４      基台部
４ａ    凹部
４ｂ    長突起
５      スポンジ体
５ａ    長溝部
６      グリス塗布ローラ
７      ボス部
７ａ    突出部
８      突起
【図１】
2005313052.tif 000003
【図２】
2005313052.tif 000004
【図３】
2005313052.tif 000005
【図４】
2005313052.tif 000006
【図５】
2005313052.tif 000007
【図６】
2005313052.tif 000008